(57)【特許請求の範囲】
【請求項１】
オーバーロックミシンにおける２つのオーバーロック縫い用の針位置１、２と２重環縫い用の針位置３の外側方に、扁平縫い用の針位置４を形成し、前記４つの針位置１、２、３、４の下方においてミシンＭのベッドｍ上に固定される針板５には、扁平爪部６と、この扁平爪部６を中央にして前記２重環縫い用の針位置３と前記扁平縫い用の針位置４に対応して２重環縫い用の針溝７と扁平縫い用の針溝８を設け、また、押え金９には前記２重環縫い用の針位置３と前記扁平縫い用の針位置４に対応して２重環縫い用の針溝１０と扁平縫い用の針溝１１を設け、さらに、針止め１３には、前記２重環縫い用の針位置３に対応する針１６を固定できるようにした針の装着孔ｃと前記扁平縫い用の針位置４に対応する針１７を固定できるようにした針の装着孔ｄとを設けるとともに、前記ミシンＭのベッドｍ内に、オーバーロック縫い用のルーパーとは別に、扁平縫い用のルーパー２１と、前記ベッドｍ内に備えられていて、主回転軸２２と一体に回転する糸繰り溝カム２５と、この糸繰り溝カム２５のカム溝２５’に当接子２６を嵌合して揺動自在に備えた作動レバー２９と、該作動レバー２９の他端に形成した糸繰りレバー３０とからなり、上記糸繰り溝カム２５に扁平縫い用の糸繰り量を設定して、上記糸繰りレバー３０の前後に配置した糸案内３１を介して前記扁平縫い用のルーパー２１に所定量のルーパー糸２０を供給する糸繰り装置２４とを備えたことを特徴とする扁平縫い兼用オーバーロックミシン。
【発明の詳細な説明】
【０００１】
【産業上の利用分野】
この発明は、オーバーロックミシンに扁平縫い機能を付設して、扁平縫いミシンを兼用できるようにした扁平縫い兼用オーバーロックミシンに関する。
【０００２】
【従来の技術】
従来のオーバーロックミシンは、オーバーロック縫いの他、２重環縫い、安全縫い（インターロック）用にも用いられ、扁平縫い専用のミシンとしては、工業用ミシンがあるのみであった。
【０００３】
【発明が解決しようとする課題】
近年、家庭用にオーバーロックミシンが普及するのにつれて、１台のミシンで多様な縫い方をできるようにすることが求められるようになっており、家庭用のオーバーロックミシンを用いて扁平縫いをできるようにすることがこの種のミシンにおいて解決すべき課題となっていた。
【０００４】
【課題を解決するための手段】
本発明は上記の目的を達成するために、オーバーロックミシンにおける２つのオーバーロック縫い用の針位置１、２と２重環縫い用の針位置３の外側方に、扁平縫い用の針位置４を形成し、前記４つの針位置１、２、３、４の下方においてミシンＭのベッドｍ上に固定される針板５には、扁平爪部６と、この扁平爪部６を中央にして前記２重環縫い用の針位置３と前記扁平縫い用の針位置４に対応して２重環縫い用の針溝７と扁平縫い用の針溝８を設け、また、押え金９には前記２重環縫い用の針位置３と前記扁平縫い用の針位置４に対応して２重環縫い用の針溝１０と扁平縫い用の針溝１１を設け、さらに、針止め１３には、前記２重環縫い用の針位置３に対応する針１６を固定できるようにした針の装着孔ｃと前記扁平縫い用の針位置４に対応する針１７を固定できるようにした針の装着孔ｄとを設けるとともに、前記ミシンＭのベッドｍ内に、オーバーロック縫い用のルーパーとは別に、扁平縫い用のルーパー２１と、前記ベッドｍ内に備えられていて、主回転軸２２と一体に回転する糸繰り溝カム２５と、この糸繰り溝カム２５のカム溝２５’に当接子２６を嵌合して揺動自在に備えた作動レバー２９と、該作動レバー２９の他端に形成した糸繰りレバー３０とからなり、上記糸繰り溝カム２５に扁平縫い用の糸繰り量を設定して、上記糸繰りレバー３０の前後に配置した糸案内３１を介して前記扁平縫い用のルーパー２１に所定量のルーパー糸２０を供給する糸繰り装置２４とを備えた扁平縫い兼用オーバーロックミシンを提供するものである。
【０００５】
【作用】
本発明ミシンは、扁平縫い用の針１７と、該針１７の内側方に隣接する第３の針位置３にある２重環縫い用の針１６とに上糸を通し、ベッドｍ内の扁平縫い用の糸繰り装置２４とルーパー２１とにルーパー糸２０を通して縫成すると、図２に示すように扁平縫いができる。なお、この扁平縫い使用時には、２重環縫いの時と同様に、従来からオーバーロックミシンに付設されている切換え装置（図示省略）を操作し、上ルーパー（図示省略）を非作動状態においてミシンを作動させる。
以上のようにして本発明は、オーバーロックミシンに扁平縫いを兼用できるようにしたものである。
【０００６】
そして、前記糸繰り装置２４は、ミシンのベッドｍ内に備えられていて、主回転軸２２と一体に回転する糸繰り溝カム２５と、この糸繰り溝カム２５のカム溝２５’に当接子２６を嵌合して揺動自在に備えた作動レバー２９と、該作動レバー２９の他端に形成した糸繰りレバー３０とからなり、上記糸繰り溝カム２５に扁平縫い用の糸繰り量を設定して、上記糸繰りレバー３０の前後に配置した糸案内３１を介して前記扁平縫い用のルーパー２１に所定量のルーパー糸２０を供給するようにしたものであるから、簡単な装置の付設により、扁平縫いの一針毎に繰り出されるべきルーパー糸の糸繰りが所定の糸調子と供給量とを保って、円滑に行われるという利点がある。
【０００７】
【実施例】
以下に本発明の実施例を図面について説明する。
図１に示すように、本発明のミシンＭは、従来のオーバーロックミシンにおける第１、第２のオーバーロック縫い用の針位置１、２と第３の２重環縫い用の針位置３の外側方に、適宜の間隔をおいて扁平縫い用の針位置４を有する。
前記４つの針位置１、２、３、４の下方で、ミシンＭのベッドｍ上に固定される針板５は、図３に示すように、２重環縫い用の針位置３、扁平縫い用の針位置４に対応して中央に扁平爪部６を形成してコ字状に貫通する針溝を具え、図示右側を２重環縫い用の針溝７とし、外側方にあたる同左側を扁平縫い用の針溝８としている。
【０００８】
また、本発明に使用する押え金９は、図４の(b)に示すように、２重環縫い用の針位置３と扁平縫い用の針位置４に対応する左右一対の針溝を具え、図示右側を２重環縫い用の針溝１０とし、外側方にあたる同左側を扁平縫い用の針溝１１としている。
さらに、針棒１２に装着される針止め１３は、図５の(b)、(c)に示すように、２つのオーバーロック縫い用の針位置１、２と２重環縫い用の針位置３、扁平縫い用の針位置４に対応する針１４、１５、１６及び１７をそれぞれ固定できるようにした針の装着孔ａ、ｂ、ｃ、ｄを設けている。
【０００９】
このミシンＭによって扁平縫いをする場合は、２重環縫い用の針位置３、扁平縫い用の針位置４を使用し、図２に示すように、２本の上糸１８、１９を用い、これに１本のルーパー糸２０を図示のように絡ませる。
また、扁平縫い用の針位置４のみを単独で使用することによって、２重環縫いを行うこともできる。
【００１０】
扁平縫い用のルーパー糸２０を供給する装置は、図１と図６に示されている。扁平縫い用のルーパー２１は、図示省略のオーバーロック縫い用のルーパーとは別に、針板５の下方のベッドｍ内に備えられ、オーバーロック縫い用の下ルーパーと同様に構成した図示省略の伝動機構を介して、主回転軸２２に駆動されるルーパー軸２３に固定されて、該主回転軸２２の往復反転作動とともに左右へ揺動し、針１６、１７の１針毎に先端を扁平な楕円形状に回動させる。
【００１１】
ルーパー２１へルーパー糸２０を供給する糸繰り装置２４は、図１に示されるようにベッドｍ内の右側に備えられている。
この糸繰り装置２４は、図６に示されるように、上記主回転軸２２に固定されて一体に一方回転する糸繰り溝カム２５と、この糸繰り溝カム２５のカム溝２５’に先端のローラ形当接子２６を嵌合し、取付けボス部２７を介して主回転軸２２と平行に横架した支点軸２８に縦方向に揺動自在に備えられた作動レバー２９と、この作動レバー２９の比較的に長尺な他端に形成した糸繰りレバー３０とからなる。
【００１２】
糸繰りレバー３０は、上記カム溝２５’に設定したリフトに従って作動レバー２９と共に主回転軸２２の１回転間に揺動し、図７に示すように糸繰りを行い、糸繰りレバー３０の前後に配置した糸案内３１と共同して適宜のテンションと送り量を保持しながら上記ルーパー２１へルーパー糸２０を供給する。
なお、上記ルーパー２１は、このミシンのオーバーロック縫い使用時に、下ルーパーと共に揺動するが、その縫成には互いに干渉しない位置にある。
【００１３】
【発明の効果】
前記のように、オーバーロックミシンにおける２つのオーバーロック縫い用の針位置１、２と２重環縫い用の針位置３の外側方に、扁平縫い用の針位置４を形成し、前記４つの針位置１、２、３、４の下方においてミシンＭのベッドｍ上に固定される針板５には、扁平爪部６と、この扁平爪部６を中央にして前記２重環縫い用の針位置３と前記扁平縫い用の針位置４に対応して２重環縫い用の針溝７と扁平縫い用の針溝８を設け、また、押え金９には前記２重環縫い用の針位置３と前記扁平縫い用の針位置４に対応して２重環縫い用の針溝１０と扁平縫い用の針溝１１を設け、さらに、針止め１３には、前記２重環縫い用の針位置３に対応する針１６を固定できるようにした針の装着孔ｃと前記扁平縫い用の針位置４に対応する針１７を固定できるようにした針の装着孔ｄとを設けるとともに、前記ミシンＭのベッドｍ内に、オーバーロック縫い用のルーパーとは別に、扁平縫い用のルーパー２１と、前記ベッドｍ内に備えられていて、主回転軸２２と一体に回転する糸繰り溝カム２５と、この糸繰り溝カム２５のカム溝２５’に当接子２６を嵌合して揺動自在に備えた作動レバー２９と、該作動レバー２９の他端に形成した糸繰りレバー３０とからなり、上記糸繰り溝カム２５に扁平縫い用の糸繰り量を設定して、上記糸繰りレバー３０の前後に配置した糸案内３１を介して前記扁平縫い用のルーパー２１に所定量のルーパー糸２０を供給する糸繰り装置２４とを備えた本発明ミシンは、オーバーロック縫い機能と、２重環縫い機能に扁平縫い機能を兼用させて、簡単な操作で多様な縫い方ができるので需要者の要望に応えることができる。また、扁平縫い機能を備えるための構造も簡単なので経済性にも優れている。
本発明には以上のように優れた効果がある。
【図面の簡単な説明】
【図１】  図１は本発明の実施例を示す一部切欠正面図である。
【図２】  図２は扁平縫いの上糸とルーパー糸との絡みを説明する斜視図である。
【図３】  図３は針板の構造を示す正面図である。
【図４】  図４は押え金の側面図(a)と正面図(b)である。
【図５】  図５は針止めの側面図(a)と正面図(b)と底面図(c)である。
【図６】  図６は糸繰り装置の側面図である。
【図７】  図７は糸繰り量を説明するグラフである。
【符号の説明】
Ｍ  ミシン
ｍ  ベッド
１  オーバーロック縫い用の針位置
２  オーバーロック縫い用の針位置
３  ２重環縫い用の針位置
４  扁平縫い用の針位置
５  針板
６  扁平爪部
７  ２重環縫い用の針溝
８  扁平縫い用の針溝
９  押え金
１０  ２重環縫い用の針溝
１１  扁平縫い用の針溝
１２  針棒
１３  針止め
１４  針
１５  針
１６  針
１７  針
ａ  針の装着孔
ｂ  針の装着孔
ｃ  針の装着孔
ｄ  針の装着孔
１８  上糸
１９  上糸
２０  ルーパー糸
２１  ルーパー
２２  主回転軸
２３  ルーパー軸
２４  糸繰り装置
２５  糸繰り溝カム
２５’  カム溝
２６  当接子
２７  取付けボス部
２８  支点軸
２９  作動レバー
３０  糸繰りレバー
３１  糸案内
【図１】
0003833722.tif 000002
【図２】
0003833722.tif 000003
【図３】
0003833722.tif 000004
【図４】
0003833722.tif 000005
【図５】
0003833722.tif 000006
【図６】
0003833722.tif 000007
【図７】
0003833722.tif 000008